(57)【特許請求の範囲】
【請求項１】
筒体の前端に、発射口を形成するとともに、該発射口を蓋で開放可能に塞いでおり、
前記筒体の中に火薬体を収納するとともに、該火薬体に通し付けられた引紐を前記筒体の後端穴から導出し、この引紐の引っ張り操作で前記火薬体が爆発し、この爆発圧で前記蓋が開放するようにしてあるクラッカーにおいて、
前記蓋は、筒体の前端縁に折目線を介して連設され、該折目線から発射口中心に向けて順次折り重ねられた複数のフラップと、隣接するフラップ同士を折目線を介して一体につないでいて該フラップ同士の重合面間に前記折目線に沿って折り畳まれた一体つなぎ片とからなり、
各フラップの前端縁と一体つなぎ片の前端縁の間に段差をつけて切欠部を形成し、フラップ及び一体つなぎ片を順次折り込むに伴い、各切欠部同士が発射口の中心部で互いに係合し合うようにしたクラッカー。
【発明の詳細な説明】
【０００１】
【発明の属する技術分野】
本発明は、クリスマスや結婚式等の祝宴などに用いられ、引紐の引っ張り操作で爆発音をたてるクラッカーに関する。
【０００２】
【従来の技術】
この種のクラッカーとして、例えば、実公昭６３−１９７５４号公報に開示されているようなものがある。これは、図９にその一部を示すように錐状の筒体１の前端に発射口２を形成し、この発射口２を開放可能な蓋３で塞いでいる。そして筒体１の内部には、図示省略するが火薬体を収納するとともに、該火薬体に通し付けられた引紐を筒体１の後端穴から導出し、この引紐を強く引っ張ることで前記火薬体が爆発し、この爆発圧で前記蓋３が花弁状に開放するようになっている。
【０００３】
【発明が解決しようとする課題】
しかるに、上記クラッカーは、筒体１の前端縁に複数の花びら状のフラップ１０を折目線１１を介して連設し、このフラップ１０を順次折り重ねることで開放可能な蓋３を構成するが、隣接するフラップ１０，１０同士間にはＶ字形の切り込み２０が入れられ、この切り込み２０を介して各フラップ１０は筒体１の前端縁上で互いに分離独立して並んだ状態にある。このため、折り重ねられた状態にあるフラップ１０が火薬体の爆発圧で図中、二点鎖線で示すごとく開放すると、フラップ１０が筒体１の前方へ真っ直ぐに展開するに止まず、更に大きい角度に開く反転状態になる（反転状態のフラップ１０を符号Ａで示す。）。かかるフラップ１０の反転現象は、火薬体の爆発圧で切り込み２０の内奥端２０ａが引き裂かれることによっても生じやすい。
このようにフラップ１０が反転すると、この瞬間、クラッカーの前端側を握っている手指が反転フラップＡで叩かれて痛感を与えるという問題があった。
この対策のひとつとして、火薬体の爆発力を落とすことでフラップ１０の反転現象を防止することが考えられるが、これでは満足な爆発音が得られず、また筒体１の中に火薬体の爆発によって吹き飛ばす小巻きテープ等の噴出物を収納している場合、この噴出物の飛距離が短くなるという不具合が生じる。
【０００４】
本発明の目的は、このような問題を解消するためになされたもので、火薬体の爆発力を落とすことなく、フラップの反転現象を防止できて取扱い安全性の向上を図れるクラッカーを提供することにある。
【０００５】
【課題を解決するための手段】
本発明は、筒体の前端に、発射口を形成するとともに、該発射口を蓋で開放可能に塞いでおり、前記筒体の中に火薬体を収納するとともに、該火薬体に通し付けられた引紐を前記筒体の後端穴から導出し、この引紐の引っ張り操作で前記火薬体が爆発し、この爆発圧で前記蓋が開放するようにしてあるクラッカーにおいて、前記蓋は、筒体の前端縁に折目線を介して連設され、前記折目線から発射口中心に向けて順次折り重ねられた複数のフラップと、隣接するフラップ同士を折目線を介して一体につないでいて該フラップ同士の重合面間に前記折目線に沿って折り畳まれた一体つなぎ片とからなり、各フラップの前端縁と一体つなぎ片の前端縁の間に段差をつけて切欠部を形成し、フラップ及び一体つなぎ片を順次折り込むに伴い、各切欠部同士が発射口の中心部で互いに係合し合うようにしたことを特徴とするものである。
【０００６】
【作用】
順次折り重ねられているフラップは火薬体の爆発圧で一斉に開放するが、このとき各フラップ同士は一体つなぎ片で一体につながれているので、各フラップは筒体の前方へ真っ直ぐに展開するだけで、それ以上に大きく開いて反転することは一体つなぎ片で確実に規制される。
【０００７】
【発明の実施の形態】
図１は本発明の一実施例を示すクラッカーの縦断面図、図２は同クラッカーの斜視図、図３は同クラッカーが爆発により開放した状態を示す斜視図、図４は同クラッカーの筒体及び蓋の展開平面図である。
図１に示すように、クラッカーは前方へ至るに従い径大な円錐状の筒体１の前端に、発射口２を形成するとともに、該発射口２を蓋３で開放可能に塞ぐ。筒体１の中には火薬体４と、火薬体４に通し付けられた引紐５、及び引紐５の火薬体４より後ろ側に移動自在に挿通された漏斗形の火薬体受け座６とを収納する。火薬体受け座６より後方へ延出する引紐５の後端部は筒体１の後端穴７から外部へ導出する。
【０００８】
上記筒体１及び蓋３は、図４に展開状態で示すごとく全体がほぼ扇形状に打ち抜かれた１枚の紙製の基板８で組み立てられる。基板８は、扇形板９の円弧状前端縁に、複数のフラップ１０をそれぞれ円弧状の折目線１１を介して連設するともに、隣接するフラップ１０，１０同士を前方広がりの三角形状の一体つなぎ片１２で一体につないでなる。各フラップ１０は円弧状の折目線１１と、この折目線１１よりも狭幅の前端縁１０ａとを一組の対辺とし、左右の一体つなぎ片１２と連接する左右端縁１０ｂ，１０ｃを他の一組の対辺とする略台形状に形成する。そのうち右端縁１０ｃは扇形板９の前端縁の円弧を描く中心部Ｏを通る線Ｌ上にほぼ一致させることが好ましい。一体つなぎ片１２と連接するフラップ１０の左右端縁１０ｂ，１０ｃには折目線１３，１４を設ける。そのうち左端縁１０ｂの折目線１３はミシン目又はひとつの長めの切り目を付けることで、より折り曲げ易くすることが組立加工上好ましい。扇形板９の左右一端縁９ａには糊代１５を連設する。
【０００９】
このような形状に打ち抜いた基板８を組み立てるには、フラップ１０を番号（１），（２），（３），（４）の順に折目線１１を介して内方に折り重ねるとともに、一体つなぎ片１２をフラップ１０，１０同士の重合面間に折目線１３，１４に沿って折り畳みながら扇形板９を円錐状に巻いて筒体１を作り、最後に（５）を筒体１内に押し込むことにより発射口２を塞ぐ蓋３が形成される。その際、図４に示すように各フラップ１０の前端縁１０ａと一体つなぎ片１２の前端縁１２ａ間には段差をつけて切欠部１６を設けておくと、フラップ１０及び一体つなぎ片１２を順次折り込むに伴い、図２に示すことく各切欠部１６同士が発射口２の中心部で互いに係合し合い、この係合によりフラップ１０が不用意に開くのを規制できる。扇形板９は円錐状に巻かれた後、その左右一端縁９ａの糊代１５が他端縁９ｂの内側に重ねられて糊付けされる。
なお、かかる組立前に、予め火薬体４、引紐５、及び火薬体受け座６が扇形板９上に配置される。その際、小巻きテープ等の噴出物（図示せず）を火薬体４の前方へ配置することもある。
【００１０】
上記構成のクラッカーを使用するには、引紐５を強く引っ張ると、火薬体４の後端部で火薬体受け座６が筒体１内の細く絞られた後方へ移動して停止し、この時点で引紐５が火薬体４から引き抜かれると同時に火薬体４が爆発する。この爆発圧でフラップ１０が開放するが、フラップ１０，１０同士は一体つなぎ片１２でつながれているので、図１中の二点鎖線及び図３に示すごとくフラップ１０が筒体１の前方へ真っ直ぐに展開するだけで、それ以上に大きく開いて反転するようなことはない。したがって、従来のように反転するフラップでクラッカーの前端側を握っている手指が叩かれる恐れが全くなく、安全に使用できる。
【００１１】
フラップ１０，１０同士をつなぐ一体つなぎ片１２は、図５及び図６に示すような形状に形成するものであってもよい。この場合の一体つなぎ片１２は隣接するフラップ１０，１０同士間にブリッジ状に一体形成し、これらフラップ１０，１０と一体つなぎ片１２との間に三角形状の抜き穴１８を設けている。これによれば、一体つなぎ片１２は折目線１３，１４に沿って折り曲げ易いため、フラップ１０，１０同士の重合面間に折り畳み易くなる。
【００１２】
また、参考例として、一体つなぎ片１２は図７及び図８に示すような形状に形成することもできる。この場合の一体つなぎ片１２は隣接するフラップ１０，１０の裾同士間のみを埋める三角形状に形成している。なお、この場合、フラップ１０及び一体つなぎ片１２を順次折り込むに伴い発射口２の中心部で互いに係合し合う上記切欠部１６は、フラップ１０の左端縁１０ｂに小さい突片１７を設けることで形成される。
【００１３】
各実施例では、筒体１を円錐状に形成するが、フラップ１０の枚数に応じた五角形や六角形などの角錐状に形成することもできる。筒体１の巻き端縁同士は糊付けに代えて、ステープルなど止めてもよい。筒体１、フラップ１０及びつなぎ片１２は紙製に代え、プラスチック製にすることもできる。
【００１４】
【発明の効果】
本発明のクラッカーによれば、火薬体の爆発力を落とすことなく、フラップの反転を防止できる。したがつて、従来のように反転するフラップでクラッカーの前端側を握っている手指が叩かれる恐れが全くなく、安全に使用できて有利である。
【図面の簡単な説明】
【図１】  本発明の一実施例を示すクラッカーの縦断面図である。
【図２】  同クラッカーの斜視図である。
【図３】  同クラッカーの爆発後の開放状態を示す斜視図である。
【図４】  同クラッカーの筒体及び蓋の展開平面図である。
【図５】  本発明の他の実施例を示すクラッカーの筒体及び蓋の展開平面図である。
【図６】  同クラッカーの爆発後の開放状態を示す斜視図である。
【図７】  参考例を示すクラッカーの筒体及び蓋の展開平面図である。
【図８】  同参考例のクラッカーの爆発後の開放状態を示す斜視図である。
【図９】  従来例のクラッカーの一部を示す斜視図である。
【符号の説明】
１  筒体
２  発射口
３  蓋
４  火薬体
５  引紐
７  後端穴
１０  フラップ
１１  折目線
１２  一体つなぎ片
１３，１４  折目線
【図１】
0003905956.tif 000002
【図２】
0003905956.tif 000003
【図３】
0003905956.tif 000004
【図４】
0003905956.tif 000005
【図５】
0003905956.tif 000006
【図６】
0003905956.tif 000007
【図７】
0003905956.tif 000008
【図８】
0003905956.tif 000009
【図９】
0003905956.tif 000010